(57)【要約】      （修正有）【課題】下部よりの取付け時の落下防止、奥まったところに取付けているネジの発見に要する時間の短縮、ネームプレートや文字の交換も可能にするネジを提供する。【解決手段】脱落防止ネジは雄ネジ２が形成されたネジ部の頭部３に、ドライバーの先端が嵌め込むことの出来るホールド部４が取り付けられていることを特徴とする。また、脱落防止ネジのホールド部４の側面部に小ネジを螺合するための固定用ネジ孔５が形成されていることを特徴とする。【選択図】図１
2009250425.tif 000002
【特許請求の範囲】
【請求項１】
雄ネジが形成されたネジ部の頭部に、ドライバーの先端が嵌め込むことの出来るホールド部が取り付けられていることを特徴とする脱落防止ネジ。
【請求項２】
ホールド部の側面部に小ネジを螺合するためのネジ孔が形成されていることを特徴とする脱落防止ネジ。
【発明の詳細な説明】
【技術分野】
【０００１】
本発明は、壁面等にネジを取り付ける際に落下せずにネジ込める落下防止ネジに関し、その応用例としてネームプレートや広告文字等を交換可能に取り付けることの出来る落下防止ネジに関するものである。
【背景技術】
【０００２】
従来のネジは、ドライバーを嵌め込む為のマイナスやプラスの穴が形成された頭部と、この頭部から伸びる円柱状の雄ネジが形成されたネジ部とから構成されている。このネジをネジ込むためには、言うまでもなくドライバーを使ってネジ穴等にネジ込むものである。
【発明の開示】
【発明が解決しようとする課題】
【０００３】
従来のネジの一例としては、頭部が半円球状をしており、ネジを天井のような壁面に対して水平方向又は、下方からネジ込むのはネジの頭部がドライバーから脱落してネジ込むのは、きわめて困難であった。また図３に示すように奥まった天井部分に下方からネジをネジ込むのはきわめて困難であった。
【０００４】
また、従来のネームプレートや文字を取付ける場合、ネームプレートや文字の背面に設けたボルトを壁面等の取付け面に穴を開けたところに差し込んでコンクリートボンドで固定していたため、容易に交換することは不可能であった。
【０００５】
本発明はこのような問題点を解決する為に、取り付け時に起こるネジの脱落の防止を可能とする脱落防止ネジを提供することにある。なおこのネジを応用すれば、ネームプレートや文字を取付けることが容易なネジを提供することが出来る。
【課題を解決するための手段】
【０００６】
上記目的を達成するために、本発明の脱落防止ネジは、請求項１に記載したようにネジの頭部は、円筒形状をしたホールド部を有しており、このホールド部はドライバーの先端部が挿入できる内径を有している。この円筒形状のホールド部の内底部にはドライバーの先端部が嵌まり込むプラス又はマイナスのネジ溝が形成されている。
【０００７】
また本発明の円筒形状の頭部の側面部分にはネジ孔が形成されているネジ。
【発明の効果】
【０００８】
本発明は、上記構成により、落下防止ネジとなり、下方や奥まった所に取り付ける際の取り付けが簡単且つ、奥まった所に取り付けられているネジを見つけ易くする。
【０００９】
また、本発明は、広告文字の交換、脱着可能なネジとなり、取り付け壁面のメンテナンスの際、広告文字の取り外し可能となる。
【発明を実施するための最良の形態】
【００１０】
以下に図面を用いて実施の形態について説明する。図１は、本実施の形態の脱落防止ネジ１の断面図、図２、図3は使用状態図である。この脱落防止ネジ１は、ネジ部３と、このネジ部の頭部３に設けられたホールド部４とから構成されている。ネジ部３は、一般的なネジの構成と同じであって、ドライバー７の先端を嵌め込むためのマイナスやプラスの穴６が形成された頭部３と、この頭部３から伸びる円柱状の雄ネジ２とから構成されている。
【００１１】
ネジ部３の頭部に設けられたホールド部４は、円筒形状をしており、頭部の直径よりもわずかながら小さな直径の筒穴を有し、頭部の外周縁部に、ホールド部４の一端が当接可能な寸法となっている。ホールド部４の長さは、ドライバー７が嵌め込んで落下しないような適当な長さ寸法、例えば1ｃｍから２ｃｍ程度が好ましい。このホールド部４の側壁に、固定用ネジ穴５が形成されている。この実施の形態では、ネジ部３とホール部４とは溶接により固定されている。
【００１２】
次に上記の脱落防止ネジ１の使用状態について説明する。図２は、天囲１１に部材８を取り付ける場合の使用状態図である。天囲１１にはあらかじめ、固定ネジ１０が設置され、脱落防止ネジ１がネジ込めるようにしておく。さらに部材８にもネジ部が嵌め込めるような貫通穴９を形成しておく。天囲１１の下側から部材８をあてがいながら、ドライバー７の先端に、ホールド部４を嵌め込んで、脱落防止ネジ１を、貫通孔９に差し込むとともに、天囲の固定ネジ１０に脱落防止ネジ１をネジ込む。
【００１３】
図２に示すように、ドライバー７の先端に脱落防止ネジ１のホールド部４が嵌まり込めるようにしているので、脱落防止ネジ１がドライバー７から脱落することがなく、片手で簡単にネジ１を締めることができ、部材８を天井１１に固定することが可能となる。従来のネジであったら、片手でネジを掴み、もう片手の手でドライバーをにぎり、ネジを締めなければならなかったので作業が非常に困難であったが本発明の実施の形態の脱落防止ネジであれば片手でネジを掴む必要がないのでネジ締め作業が容易となる。
【００１４】
図３は、他の使用状態を示す使用状態図である。図３の使用状態では、天井１１にボックス状のケーシング１３を固定する場合を説明したものでネジを固定するためにわずかなすき間しかないために、ネジ締めが困難な例である。しかし、この使用状態においても、ドライバー７の先端に、脱落防止ネジ１を嵌め込んですき間から天井１１の固定ネジ１０に脱落防止ネジ１をネジ込むことが出来るのでネジ締め作業が容易に行なうことが可能となる。
【００１５】
図４はネームプレート１４を固定するために脱落防止ネジ１を使用するための斜視図である。ネームプレート１４は欧文字の「T」の字を例にとって説明している。「T」の文字の文字板の背面１５には、ボルト１６が固定されている。このボルト１６は、スタッド溶接にて文字板に溶接するか、文字板が3ｍｍ以上の肉厚であるとネジ切りをしてボルト１６をネジ込む方法で固定している。
【００１６】
脱落防止ネジ１は、前記のように、固定用ネジ穴５が形成されており、このネジ穴５に螺合する小ネジ１７を準備する。そしてあらかじめボルト１６に脱落防止ネジ１のホールド部４を嵌め込んでおき、小ネジ１７を固定用ネジ穴５に螺合して、ボルト１６に脱落防止ネジ１を固定しておく。
【００１７】
図５は、ネームプレート１４を壁面等１９に固定した状態を図示した断面図である。上記のように、ボルト１６に脱落防止ネジ１を固定してあらかじめ壁面等１９に穴１８を形成するかアンカーを設置しておいて、この穴１８やアンカーに脱落防止ネジ１の雄ネジ２を嵌め込んで、コンクリートボンドで固定する。
【００１８】
ネームプレート１４を取り替える時は、小ネジ１７をゆるめて、ネームプレート１４を引っぱれば簡単に取り外すことが出来る。このため、欧文字の「T」を他の文字に変えることが容易となる。なお、本発明のネームプレートは欧文字に限定されるものではなく、漢字、カタカナ、平仮名、図形記号や表札、室名札、壁面に取付けられているインターホンをカバーする表札等、種種のものを取り付け、取り替えることが出来る。
【００１９】
図６は、本発明の脱落防止ネジのさらに他の使用状態図である。この実施の形態では、天井に天井用アンカーを用いて、部材を取り付けたものである。通常、店舗などの天井は厚みが薄いので、ネジで取り付けられない場合があるが、そのような場合に、この実施の形態に示すように天井用アンカー２０を取り付けておき、そのアンカーに脱落防止ネジ１の円柱状の雄ネジ２を螺合すれば良い。このように天井に対する上向きの取り付け作業であっても、脱落防止ネジが落下することがないので取り付け作業がスムーズに行なうことが出来る。
【００２０】
図７は、本発明の脱落防止ネジ１のさらに他の使用状態図である。この使用状態では切り文字１２を壁面１９に取り付ける場合を説明したもので（a）は準備段階の斜視図、（b）は固定した状態の側面図である。この使用状態では、２個の脱落防止ネジ１を使用しており、切り文字１２の背面１５の両端にボルト１６が固定されている。この切り文字１２の固定方法は前記図４、図５の取り付け方法と略同じであるので詳細は省略する。本発明の脱落防止ネジ１は、複数個使用することにより、大きな固定物であっても固定することが可能となる。
【００２１】
図８は、本発明の脱落防止ネジ１のさらに図7以外の使用状態図である。この使用状態では帽子掛けや洋服掛け２１を壁面１９に取り付ける場合を説明したもので（a）は準備段階の斜視図、（b）は固定した状態の側面図である。この使用状態では、２個の脱落防止ネジ１を使用しており、帽子掛けや洋服掛けの背面両端にボルト１６が固定されている。この帽子掛けや洋服掛け２１の固定方法は前記図４、図５の取り付け方法と略同じであるので詳細は省略する。本発明の脱落防止ネジ１は、複数個使用することにより、大きな固定物であっても固定することが可能となる。
【００２２】
図９は、本発明の脱落防止ネジ１のさらに図7、図８以外の使用状態図である。この使用状態では壁面１９に取り付けられているインターホン２４をカバーする際にカメラ部分に合わせて開口２５a、スイッチ等に合わせて開口２５bした表札２３を壁面１９に取り付ける場合を説明したもので（a）は準備段階の斜視図、（b）は固定した状態の側面図である。この使用状態では、４個の脱落防止ネジ１を使用しており、ネームプレートの背面の４にボルト１６が固定されている。このネームプレートの固定方法は前記図４、図５の取り付け方法と略同じであるので詳細は省略する。又、インターホンが無い場合はカメラ部分等を開口していない表札にも使用することが可能である。本発明の脱落防止ネジ１は、複数個使用することにより、大きな固定物であっても固定することが可能となる。
【００２３】
図１０は本発明の脱落防止ネジの変形例である。この実施の形態の脱落防止ネジは、実施の形態の雄ネジ２とは異なり、先端に行くに従って細くなるタッピングビス２６や木ネジと同じ雄ネジを使用している。この雄ネジの場合は穴やアンカーを必要とせずにネームプレートを柱等に取付けることが可能となる。
【００２４】
図１１は、本発明の脱落防止ネジ１の他の実施を示す。ホールド部とネジ部を一体化にて製作した場合である。（a）は平面図、（b）は縦断面図である。ホールド部４には、文字等の背面に設けられたボルトを差し込んで、固定する際に使用する固定用ネジ穴５が設けられている。ホールド部４とネジ部２を溶接するのではなく、切削などにて製作している。なお、上記実施の形態では、固定用ネジ穴５をホールド部４に形成したものを説明したがこの固定用ネジ穴５はかならずしも必要ではなく、このネジ穴５が無いものであっても良い。この脱落防止ネジにより図２、図３、図６のような使用は可能である。
【産業上の利用可能性】
【００２５】
本発明に係るネジは、種種の部材の固定が容易なネジを提供するものであり、さらにネームプレートや表札のみならず、看板、掲示板等用としても用いることが出来る。
【図面の簡単な説明】
【００２６】
【図１】実施の形態１の脱落防止ネジの断面図
【図２】実施の形態１の脱落防止ネジの使用状態図
【図３】実施の形態１の脱落防止ネジの他の使用状態図
【図４】実施の形態１の脱落防止ネジを応用したネームプレートを固定する使用状態図
【図５】図４のネームプレートを固定した断面図である。
【図６】他の使用状態図
【図７】切り文字を固定する使用状態図
【図８】帽子掛けや洋服掛けを固定する使用状態図
【図９】表札を固定する使用状態図
【図１０】本発明の脱落防止ネジの他の実施の形態の使用状態図
【図１１】本発明の脱落防止ネジのさらに他の実施の形態の使用状態図
【符号の説明】
【００２７】
１      脱落防止ネジ
２      円柱状の雄ネジ
３      頭部
４      ホールド部
５      固定用ネジ穴
６      マイナスやプラスの穴
７      ドライバー
８      部材
９      貫通穴
１０    天井のネジ穴
１１    天井用アンカー
１２    天井
１３    ボックス状のケーシング
１４    ネームプレート
１５    文字の文字板の背面
１６    ボルト
１７    小ネジ
１８    穴
１９    壁面
２０    アンカー
２１    フレーム
２２    フック
２３    表札
２４    インターホン
２５a   表札インターホンカメラ用開口
２５b   表札インターホンスイッチ用開口
２６    タッピングビス
【図１】
2009250425.tif 000003
【図２】
2009250425.tif 000004
【図３】
2009250425.tif 000005
【図４】
2009250425.tif 000006
【図５】
2009250425.tif 000007
【図６】
2009250425.tif 000008
【図７】
2009250425.tif 000009
【図８】
2009250425.tif 000010
【図９】
2009250425.tif 000011
【図１０】
2009250425.tif 000012
【図１１】
2009250425.tif 000013